(57)【要約】【課題】    コンピュータ側で画像処理を行うような構成であっても、プロジェクタの操作手段で画質等の設定調整を行うことのできるプロジェクションシステムを提供すること。【解決手段】プロジェクタ２及びコンピュータ３が接続されたプロジェクションシステム１において、プロジェクタ２は、設定調整を行う調整操作手段２１１、操作内容を判定する操作内容判定手段２１３、判定された操作内容に基づいて調整制御信号を生成する制御信号生成手段２１４、及び調整制御信号をコンピュータ３に送信する双方向通信手段２４を備え、コンピュータ３は、調整制御信号を受信する双方向通信手段３１及び受信した調整制御信号に基づいて、出力する画像信号の調整処理を行う画像処理手段３４を備えている。【選択図】  図１
2006270703.tif 000002
【特許請求の範囲】
【請求項１】
光源から射出された光束を画像情報に応じて変調して光学像を形成し、拡大投射するプロジェクタと、このプロジェクタと信号入出力端子を介して接続されるコンピュータとを備え、前記コンピュータから出力される画像情報に基づく画像を、前記プロジェクタに投影表示させるプロジェクションシステムであって、
前記プロジェクタは、
該プロジェクタの設定調整を行う調整操作手段と、
前記調整操作手段の操作により出力される調整操作信号の操作内容を判定する操作内容判定手段と、
前記操作内容判定手段で判定された操作内容に基づいて、調整制御信号を生成する制御信号生成手段と、
生成した前記調整制御信号を前記コンピュータに送信し、前記コンピュータからの信号を受信する双方向通信手段とを備え、
前記コンピュータは、
前記プロジェクタからの調整制御信号を受信し、該コンピュータから信号を送信する双方向通信手段と、
受信した調整制御信号に基づいて、出力する画像信号の調整処理を行う画像処理手段とを備えていることを特徴とするプロジェクションシステム。
【請求項２】
請求項１に記載のプロジェクションシステムにおいて、
前記画像処理手段は、
前記プロジェクタの設定調整用の調整情報を、前記プロジェクタに投影表示出力させる調整情報表示出力部を備えていることを特徴とするプロジェクションシステム。
【請求項３】
請求項１又は請求項２に記載のプロジェクションシステムにおいて、
前記プロジェクタは、入力画像信号の画像処理を行う画像処理手段を有しないことを特徴とするプロジェクションシステム。
【請求項４】
請求項１〜請求項３のいずれかに記載のプロジェクションシステムにおいて、
前記プロジェクタは、光変調を行う光変調装置を含む自己の固体差情報を記憶した個体差情報記憶手段を備え、
前記双方向通信手段は、システム起動時、前記コンピュータに前記個体差情報を出力することを特徴とするプロジェクションシステム。
【請求項５】
請求項４に記載のプロジェクションシステムにおいて、
前記画像処理手段は、システム終了時、該画像処理手段により設定された調整情報を、前記コンピュータ側の双方向通信手段を介して前記プロジェクタに出力する調整情報出力部を備え、
前記プロジェクタは、入力された調整情報を記憶する調整情報記憶手段を備えていることを特徴とするプロジェクションシステム。
【請求項６】
信号入出力端子を介してコンピュータが接続され、光源から射出された光束を、前記コンピュータから出力された画像情報に応じて変調して光学像を形成し、拡大投射するプロジェクタであって、
該プロジェクタの設定調整を行う調整操作手段と、
前記調整操作手段の操作により出力される調整操作信号の操作内容を判定する操作内容判定手段と、
前記奏さないよう判定手段で判定された操作内容に基づいて、調整制御信号を生成する制御信号生成手段と、
生成した前記調整制御信号を前記コンピュータに送信し、前記コンピュータからの信号を受信する双方向通信手段とを備えていることを特徴とするプロジェクタ。
【発明の詳細な説明】
【技術分野】
【０００１】
本発明は、光源から射出された光束を画像情報に応じて変調して光学像を形成し、拡大投射するプロジェクタと、このプロジェクタと信号入出力端子を介して接続されるコンピュータとを備え、コンピュータから出力される画像情報に基づく画像を、プロジェクタに投影表示させるプロジェクションシステム、及びこのプロジェクションシステムに用いられるプロジェクタに関する。
【背景技術】
【０００２】
従来、光源から射出された光束を画像情報に応じて変調して光学像を形成し、拡大投射するプロジェクタが知られている。このようなプロジェクタは、入力される画像情報に基づいて、例えば、液晶パネル等の光変調装置を駆動制御することにより光学像を形成して、拡大投射するものである。
ここで、液晶パネル等の光変調装置の場合、印加電圧−光透過特性等に個体差があるので、プロジェクタにはビデオプロセッサが内蔵され、入力された画像信号を、このビデオプロセッサにより光変調装置の個体差に応じた色補正や輝度補正を行い、入力画像信号に応じた適切な輝度、色を再現することのできる投射画像を投影するようになっている（例えば、特許文献１参照）。
また、プロジェクタには、外装筐体に操作ボタンが設けられ、さらに、遠隔操作可能なリモートコントローラが付帯されている。観察者が操作ボタンやリモートコントローラを操作することにより、投影画像の画質を調整したり、表示部分のズームアップ等を行うことができる。
【０００３】
ところで、近年のＯＡ機器の利用においては、高速処理の可能なホストコンピュータ等がネットワーク上で接続され、ホストコンピュータの処理速度を利用したネットワーク上での処理効率の向上が図られている。例えば、携帯端末等の処理速度の遅い外部機器をこのホストコンピュータとネットワークを介して通信接続し、外部機器で処理すべき内容の一部を、ネットワークを介してホストコンピュータで処理させて、操作性の向上等を図る技術が提案されている（例えば、特許文献２参照）。
そして、このようなホストコンピュータの利用方法は、プロジェクタにおいても、画像処理の一部を、プロジェクタに接続されたコンピュータで処理することにより、プロジェクタの画像処理を低減し、処理速度の向上やプロジェクタの製品コストのダウンを図ることが可能であるため、プロジェクタを用いたプレゼンテーション用途においても要望されている。
【０００４】
【特許文献１】特開２００３−３２５８０号公報（図１、図２、〔００３１〕〜〔００３７〕）
【特許文献２】特開２００２−９１４１４号公報（図１、図２、〔００４０〕〜〔００４７〕）
【発明の開示】
【発明が解決しようとする課題】
【０００５】
しかしながら、このような画像処理を接続されるコンピュータ行うプロジェクションシステムにおいては、観察者が操作ボタンや、リモートコントローラを操作してプロジェクタの画質を調整しようとしても、画質調整等を行う本体部分がコンピュータ側にあるため、プロジェクタ内部で調整操作信号に基づいて、画質調整を行うことができず、プロジェクタの画質調整を行うことができないという問題がある。
【０００６】
本発明の目的は、光源から射出された光束を画像情報に応じて変調して光学像を形成し、拡大投射するプロジェクタと、このプロジェクタと信号入出力端子を介して接続されるコンピュータとを備え、前記コンピュータから出力される画像情報に基づく画像を、前記プロジェクタに投影表示させるプロジェクションシステムにおいて、コンピュータ側で画像処理を行うような構成であっても、プロジェクタの操作手段で画質等の設定調整を行うことのできるプロジェクションシステム及びプロジェクタを提供することにある。
【課題を解決するための手段】
【０００７】
本発明のプロジェクションシステムは、光源から射出された光束を画像情報に応じて光学像を形成し、拡大投射するプロジェクタと、このプロジェクタと信号入出力端子を介して接続されるコンピュータとを備え、前記コンピュータから出力される画像情報に基づく画像を、前記プロジェクタに投影表示させるプロジェクションシステムであって、
前記プロジェクタは、
該プロジェクタの設定調整を行う調整操作手段と、
前記調整操作手段の操作により出力される調整操作信号の操作内容を判定する操作内容判定手段と、
前記操作内容判定手段で判定された操作内容に基づいて、調整制御信号を生成する制御信号生成手段と、
生成した前記調整制御信号を前記コンピュータに送信し、前記コンピュータからの信号を受信する双方向通信手段とを備え、
前記コンピュータは、
前記プロジェクタからの調整制御信号を受信し、該コンピュータから信号を送信する双方向通信手段と、
受信した調整制御信号に基づいて、出力する画像信号の調整処理を行う画像処理手段とを備えていることを特徴とする。
【０００８】
ここで、プロジェクタとコンピュータの接続は、種々の方法が考えられ、例えば、ＵＳＢに準拠した入出力端子を介して両者を接続したり、プロジェクタに電源コンセント等の外部機器への電力供給手段を設けておき、電力線通信（ＰＬＣ：Power Line Communication）を利用して両者を接続したり、さらには、家庭内ＬＡＮに接続されたホームサーバと無線ＬＡＮによって両者を接続することが考えられる。
この発明によれば、プロジェクタが操作内容判定手段、制御信号生成手段、及び双方向通信手段を備え、コンピュータが双方向通信手段及び画像処理手段を備えていることにより、リモートコントローラ等の操作手段の操作を双方向通信手段を介してコンピュータ側に送信することができるため、コンピュータ側で操作状態に応じた画質等の設定を行うことができる。
【０００９】
本発明では、画像処理手段が、プロジェクタの設定調整用の調整情報を、プロジェクタに投影表示出力させる調整情報表示出力部を備えているのが好ましい。
この発明によれば、調整情報表示出力部により、観察者がリモートコントローラ等を操作する際、現在の設定調整状態を投射画像としてプロジェクタに表示させることができるため、観察者は表示された調整情報に基づいて、画質等の設定を行うことができる。
【００１０】
本発明では、プロジェクタが、入力画像信号の画像処理を行う画像処理手段を有しないのが好ましい。
この発明によれば、このような画像処理手段のないプロジェクタにおいてこそ、リモートコントローラ等の操作手段を用いて調整操作ができなくなるので、本発明を好適に適用できる。
尚、プロジェクタが画像処理手段を有している場合であっても、接続されるコンピュータ側で画像処理を行うことにより、より高度な画像処理を施すことが可能となるので、このような高度な調整操作をリモートコントローラ等の操作手段でできるようになるという点で、画像処理手段を有するプロジェクタに本発明を適用しても、有用性は高い。
【００１１】
本発明では、プロジェクタは、光変調を行う光変調装置を含む自己の個体差情報を記憶した個体差情報記憶手段を備え、双方向通信手段は、システム起動時、コンピュータに個体差情報を出力するのが好ましい。
ここで、個体差情報とは、プロジェクタに固有に存する偏差を補正する情報を意味し、例えば、光変調装置の輝度ムラ補正値、色ムラ補正値、γ補正値等が考えられる。
この発明によれば、単に接続されているだけでは、コンピュータ側では、どのような個体差を有するプロジェクタが接続されているのかを認識することができないが、個体差情報がプロジェクタ側から起動時に出力されることで、コンピュータ側でプロジェクタ側の個体差を認識できるので、コンピュータの画像処理手段によってプロジェクタの個体差に応じた設定調整を実現できる。
【００１２】
本発明では、画像処理手段は、システム終了時、該画像処理手段により設定された調整情報を、コンピュータ側の双方向通信手段を介してプロジェクタに出力する調整情報出力部を備え、プロジェクタは、入力された調整情報を記憶する調整情報記憶手段を備えているのが好ましい。
この発明によれば、システム終了時、コンピュータ側の画像処理手段により設定された調整情報がプロジェクタに記憶されるので、次回起動時にその調整情報を呼び出して、コンピュータ側で設定調整を行うことができ、扱いやすいプロジェクションシステムとすることができる。
【００１３】
本発明のプロジェクタは、前述したプロジェクションシステムを構成するプロジェクタであり、具体的には、
信号入出力端子を介してコンピュータが接続され、光源から射出された光束を、前記コンピュータから出力された画像情報に応じて変調して光学像を形成し、拡大投射するプロジェクタであって、
該プロジェクタの設定調整を行う調整操作手段と、
前記調整操作手段の操作により出力される調整操作信号の操作内容を判定する操作内容判定手段と、
前記操作内容判定手段で判定された操作内容に基づいて、調整制御信号を生成する制御信号生成手段と、
生成した前記調整制御信号を前記コンピュータに送信し、前記コンピュータからの信号を受信する双方向通信手段とを備えていることを特徴とする。
この発明によれば、プロジェクタの設定調整をコンピュータ側で行うことができるため、プロジェクタ自身による設定調整を省略することが可能となり、プロジェクタの処理を軽減して、プロジェクタの製品コストの低減が図られる。
【発明を実施するための最良の形態】
【００１４】
以下、本発明の実施形態を図面に基づいて説明する。
図１には、本発明の実施形態に係るプロジェクションシステム１が示されている。
このプロジェクションシステム１は、プロジェクタ２及びコンピュータ３をＵＳＢケーブル４で接続したものであり、コンピュータ３から出力されるデジタル画像信号を、ＵＳＢケーブル４を介してプロジェクタに出力し、スクリーン５上に投影するものである。
ＵＳＢケーブル４は、ＵＳＢ1.1、ＵＳＢ2.0等の規格に準拠したケーブルであり、接続機器及び被接続機器間で双方向通信が行うことができる。
【００１５】
（１）プロジェクタ２の構成
プロジェクタ２は、光源から射出された光束を、入力される画像情報に応じて変調して光学像を形成し、スクリーン５上に拡大投射するものであり、ユーザ調整操作系２１、ＲＯＭ２２、ＲＡＭ２３、双方向デジタル通信手段２４、Ｄ／Ａコンバータ２５、液晶駆動回路２６、照明光学系２７、液晶パネル２８、及び投射レンズ２９を備えて構成される。
ユーザ調整操作系２１は、調整操作手段２１１、リモコン信号受信手段２１２、操作内容判定手段２１３、及び制御信号生成手段２１４を備えて構成される。
調整操作手段２１１は、プロジェクタ２の外装筐体から露出する複数の操作ボタン２１１Ａを備え、観察者が操作ボタン２１１Ａを押圧すると、その押圧操作に応じた操作信号を操作内容判定手段２１３に出力する。
【００１６】
リモコン信号受信手段２１２は、プロジェクタ２の外装筐体から露出する信号受信部２１２Ａを備え、リモートコントローラ６に設けられた操作ボタンを、観察者が押圧すると、リモートコントローラ６から無線信号が送信され、この無線信号を信号受信部２１２Ａで受信して、押圧操作に応じた操作信号を操作内容判定手段２１３に出力する。尚、リモートコントローラ６と信号受信部２１２Ａとの間の通信は、種々の方式を採用できるが、例えば、ＩｒＤＡ（Infrared Data Association）規格の赤外線通信を採用することができる。また、リモートコントローラ６及びリモコン信号受信手段２１２も、観察者の操作により調整操作を行うことができるので、調整操作手段の他の構成となる。
【００１７】
操作内容判定手段２１３は、調整操作手段２１１及びリモコン信号受信手段２１２から入力された操作信号に基づいて、観察者等がどのような調整操作を行ったかを判定する部分である。詳しくは、後述するが、スクリーン５上に調整項目が表示された画面を表示しておき、観察者が操作ボタン２１１Ａやリモートコントローラ６を操作することにより、調整操作項目を選択させ、選択した項目がどの調整項目であったかを判定する。
そして、この操作内容判定手段２１３は、調整操作の判定結果を制御信号生成手段２１４に出力する。
制御信号生成手段２１４は、操作内容判定手段２１３による調整操作の判定結果に基づいて、判定結果に応じた調整制御信号を生成する部分であり、生成された調整制御信号は、双方向デジタル通信手段２４に出力される。
【００１８】
個体差情報記憶手段としてのＲＯＭ２２には、プロジェクタ２の画像処理に必要な個体差情報が記録されており、具体的には、入力された画像信号に応じて液晶パネル２８に適切な光学像を形成させるための輝度ムラ、色ムラ補正値、γ補正値等のプロジェクタ２に固有の補正値が記録されている。
調整情報記憶手段としてのＲＡＭ２３には、観察者がリモートコントローラ６や、操作ボタン２１１Ａを操作して設定した画質設定等の調整情報が記録されており、この調整情報は、後述するコンピュータ３の画像処理手段３４の調整情報出力部３４６から出力された調整情報によってシステム終了時に更新される。尚、このＲＡＭ２３は、プロジェクタ２の電源オフ時にも調整情報を記憶保持する必要があるため、バッテリ等による電力供給を受けている。また、本実施形態では、ＲＯＭ２２とは別のＲＡＭ２３として構成しているが、これに限らず、ＲＯＭ２２をＥＥＰＲＯＭ等の書換可能なＲＯＭとしてＲＯＭの一部の領域に調整情報を書き込めるようにしてもよい。
【００１９】
双方向デジタル通信手段２４は、ＵＳＢ規格に準拠したデジタル信号入出力端子２ＡにＵＳＢケーブル４を介して接続されるコンピュータ３との間で双方向通信を行う部分であり、制御信号生成手段２１４で生成された調整制御信号や、ＲＯＭ２２に記録された補正値等をコンピュータ３に送信するとともに、コンピュータ３の画像処理手段３４で画像処理が施されたデジタル画像信号を受信して、Ｄ／Ａコンバータ２５に出力する。
Ｄ／Ａコンバータ２５は、コンピュータ３から出力された画像処理済みのデジタル画像信号をアナログ信号に変換する部分であり、このＤ／Ａコンバータ２５で変換されたアナログ信号は液晶駆動回路２６に出力される。
【００２０】
液晶駆動回路２６は、液晶パネル２８を駆動制御する部分であり、入力されたアナログ信号に基づいて、液晶パネル２８を構成する画素が駆動制御される。
このように本実施形態におけるプロジェクタ２では、画像処理を行うためのフレームバッファやビデオプロセッサ等を一切搭載していない。このため、画像処理を行うのに必要なデバイスが省略されているので、プロジェクタ２の製品コストは、従来のものよりも大幅に低減することができる。
【００２１】
照明光学系２７は、液晶パネル２８を照明する部分であり、光源装置と、レンズ、偏光変換素子等の光学素子とを含んで構成される。光源装置は、図示を略したが、高圧水銀ランプ、メタルハライドランプ等の光源ランプと、光源ランプから放射された光束を一定方向に揃えて射出するリフレクタとを備えて構成される。
液晶パネル２８は、図示を略したが、一対の透明な基板に電気光学物質となる液晶が密閉封入された液晶パネル本体と、この液晶パネル本体の入射側及び射出側に配置される一対の偏光板とを備えている。
【００２２】
一対の基板のうち、一方の基板は、液晶封入面にＩＴＯ膜等の共通電極が形成された構成を備えている。他方の基板は、互いに並行に配列形成される複数のデータ線と、この複数のデータ線と直交する方向に配列形成される複数の走査線と、隣り合う２つのデータ線及び２つの走査線の間の矩形状の領域に設けられる画素電極及びスイッチング素子となるＴＦＴとを備えている。
そして、液晶駆動回路２６からの駆動信号に応じてスイッチング素子がオンオフされ、液晶パネル２８の各画素における光束透過率が変化して、液晶パネル２８の画像形成領域上に光学像が形成される。
投射レンズ２９は、鏡筒内に設定された照明光軸上に複数のレンズを配置した組レンズとして構成され、液晶パネル２８から射出された変調光束は、この投射レンズ２９によって拡大されてスクリーン５上に投射される。
【００２３】
（２）コンピュータ３の構成
コンピュータ３は、中央演算処理装置及び記憶装置を備え、持ち運び可能なノート型のコンピュータとして構成され、双方向デジタル通信手段３１、デジタル画像出力手段３２、フレームバッファ３３、及び画像処理手段３４を備えて構成される。
双方向デジタル通信手段３１は、前記と同様にＵＳＢケーブル４を介して接続されるプロジェクタ２との間で双方向デジタル通信を行う部分であり、ＵＳＢケーブル４が接続されるデジタル信号入出力端子３Ａから入力されたデジタル画像信号を受信するとともに、画像処理手段３４で画像処理された処理済みのデジタル画像信号を、プロジェクタ２に出力する。
【００２４】
デジタル画像出力手段３２は、コンピュータ３内部で生成したデジタル画像信号や、コンピュータ３に直接接続された画像情報出力機器（図示略）から出力され、コンピュータ３によってデジタル化されたデジタル画像信号を、フレームバッファ３３に出力する部分である。
フレームバッファ３３は、デジタル画像出力手段３２から出力されたデジタル画像信号を１フレーム単位で蓄積する部分であり、フレーム単位で蓄積されたデジタル画像信号は、画像処理手段３４に出力される。
【００２５】
画像処理手段３４は、前記のＲＯＭ２２、ＲＯＭ２３に記録され、プロジェクタ２から出力された補正値及び調整情報に基づいて、入力されたデジタル画像信号の画像処理を行って液晶パネル２８に応じたデジタル画像信号を生成する部分であり、輝度ムラ補正部３４１、色ムラ補正部３４２、γ補正部３４３、ユーザ設定調整部３４４、調整情報表示出力部３４５、及び調整情報出力部３４６を備えて構成される。
輝度ムラ補正部３４１は、プロジェクタ２の液晶パネル２８の画像形成領域の輝度ムラを補正する部分である。具体的には、輝度ムラ補正部３４１は、複数の要素領域に分割された液晶パネル２８の画像形成領域毎に輝度ムラ補正値が設定されたテーブルを参照し、入力されたデジタル画像信号に応じて各要素領域を適切な輝度値となるように補正する。
【００２６】
色ムラ補正部３４２は、プロジェクタ２の液晶パネル２８の画像形成領域の色ムラを補正する部分であり、前記の輝度ムラ補正部３４１と同様の手順で各要素領域の色ムラを補正する。
γ補正部３４３は、入力されたデジタル画像信号の階調信号に対して出力すべき印加電圧データを補正する部分である。このγ補正部３４３は、液晶パネル２８の画素によって入力階調に対して光束透過量にバラツキが生じるので、これを補正するために設けられている。具体的には、γ補正部３４３は、入力階調に対する出力階調（駆動電圧）を対応させたＬＵＴとして格納された補正値を参照することにより、入力されたデジタル画像信号の階調補正を行う。
【００２７】
ユーザ設定調整部３４４は、プロジェクタ２の双方向デジタル通信手段２４から出力された調整制御信号に基づいて、入力されるデジタル画像信号の画像処理を行う部分である。ユーザである観察者が設定調整可能な項目としては、例えば、γ特性、色味、リフレッシュレート等の画像に影響する項目の他、プロジェクタ２に対してスクリーン５が正対していない場合に生じる台形歪み等を補正する際のキーストーン補正等が考えられる。
調整情報表示出力部３４５は、観察者に設定調整を行う項目の選択を促す調整情報を投影された画像上に表示する部分である。具体的には、観察者がリモートコントローラ６に設けられたヘルプボタン等を押圧すると、図２に示されるように、調整項目選択画面Ｇ１が投影画像上に表示されるようになっている。尚、図２から判るように、画面Ｇ１の下部には、操作ガイド領域Ｇ１１が表示され、観察者は、この領域Ｇ１１を参照しながら方向ボタンで選択位置を移動し、決定ボタンで決定を行うことができるようになっている。
【００２８】
調整情報出力部３４６は、前記調整情報表示出力部３４５で表示された画面Ｇ１で選択された調整項目の設定に基づいて、ユーザ設定調整部３４４で行われた画像信号の設定調整に関する調整情報を、双方向デジタル通信手段３１を介してプロジェクタ２に出力する部分である。この調整情報出力部３４６による調整情報の出力は、プロジェクタ２の電源スイッチをオフして、システムを終了した時点をトリガとして行われる。
その際、調整情報出力部３４６は、設定調整されたγ特性、色味、リフレッシュレート等の画像に影響する項目に関する調整情報を取得し、これを双方向デジタル通信手段３１に出力する。双方向デジタル通信手段３１は、入力された調整情報を、ＵＳＢケーブル４を介してプロジェクタ２に送信する。プロジェクタ２の双方向デジタル通信手段２４では、受信された調整情報をＲＡＭ２３に書き込んでＲＡＭ２３内に記録された調整情報の更新を行う。
【００２９】
（３）プロジェクションシステム１の作用
次に、前述した構成を具備するプロジェクションシステム１の作用を、図３〜図５に示されるフローチャートに基づいて説明する。
(3-1)起動時の作用及び調整操作時の作用
プロジェクションシステム１の起動時、及び調整操作時は、図３及び図４のフローチャートに示される処理が実行される。
まず、プロジェクタ２が起動されると（処理Ｓ１）、双方向デジタル通信手段２４は、ＲＯＭ２２内に記録された個体差情報をコンピュータ３に出力し（処理Ｓ２）、さらに、ＲＡＭ２３内に記録された前回の設定調整に関する調整情報をコンピュータ３に出力する（処理Ｓ３）。
これらの情報を受信したコンピュータ３の双方向デジタル通信手段３１は、画像処理手段３４に出力し、画像処理手段３４の輝度ムラ補正部３４１、色ムラ補正部３４２、γ補正部３４３、及びユーザ設定調整部３４４は、これに基づいて、画像処理条件の初期設定を行う（処理Ｓ４）。
【００３０】
初期設定が終了したら、画像処理手段３４は、この画像処理設定に基づいて、デジタル画像出力手段３２から入力されるデジタル画像信号の画像処理を行う（処理Ｓ５）。双方向デジタル通信手段３１は、処理済みのデジタル画像信号をプロジェクタ２に送信する（処理Ｓ６）。
処理済みのデジタル画像信号を受信したプロジェクタ２の双方向デジタル通信手段２４は、受信したデジタル画像信号をＤ／Ａコンバータ２５に出力し、Ｄ／Ａコンバータ２５は、デジタル画像信号をアナログ信号に変換して、液晶駆動回路２６に出力する。液晶駆動回路２６は、このアナログ信号に基づいて、液晶パネル２８を駆動制御して、スクリーン５上に投射画像を表示させる（処理Ｓ７）。
【００３１】
画像表示中、リモートコントローラ６のメニューボタン又は操作ボタン２１１Ａ内のメニューボタンが押圧されると（処理Ｓ８）、操作内容判定手段２１３は、メニュー表示要求があったと判定して、制御信号生成手段２１４は、調整情報表示要求となる制御信号を生成し、双方向デジタル通信手段２４は、コンピュータ３に調整情報表示要求を送信する（処理Ｓ９）。
調整情報表示要求がコンピュータ３で受け付けられると、画像処理手段３４の調整情報表示出力部３４５は、調整情報表示画像を生成し、双方向デジタル通信手段２４は、この画像をプロジェクタ２に送信し（Ｓ１０）、プロジェクタ２では、図２に示されるような画面Ｇ１を投影表示する（処理Ｓ１１）。
【００３２】
画面Ｇ１が表示された後、操作内容判定手段２１３は、リモートコントローラ６の操作ボタンや、調整操作手段２１１の操作ボタン２１１Ａの操作状態を監視し、操作内容の判定を行う（処理Ｓ１２）。具体的には、観察者が所定の操作ボタンを操作すると、操作内容判定手段２１３は、操作内容がどのようなものであるかを判定する。
制御信号生成手段２１４は、操作内容判定手段２１３による判定結果に応じた調整制御信号を生成する（処理Ｓ１３）。
生成された調整制御信号は、双方向デジタル通信手段２４によってコンピュータ３に送信される（処理Ｓ１４）。
【００３３】
尚、調整情報表示出力部３４５は、プロジェクタ２から送信された調整制御信号に基づいて、調整情報表示画像を逐次更新して出力する。例えば、図２に示される画面で「▲」や「▼」等の矢印ボタンが操作された場合、フォーカスされた調整項目が移動し、「決定」ボタンが押されたところで選択された項目のさらに階層の下のメニューを表示する。
このように画面Ｇ１を適宜更新しつつ、調整情報表示出力部３４５は、最終的な設定調整が終了したか否かを監視し（処理Ｓ１５）、観察者による設定調整が終了したら、新たに設定された画像処理条件の設定を行い（処理Ｓ１６）、この画像処理設定に基づいて、画像処理の実行を開始する。
【００３４】
(3-2)システム終了時の作用
プロジェクションシステム１の終了時は、図５のフローチャートに示される処理が実行される。
コンピュータ３による画像処理（処理Ｓ１７）、処理済画像信号の出力（処理Ｓ１８）、及びプロジェクタ２による投影画像表示（処理Ｓ１９）の一連の処理が実行されている間に、操作内容判定手段２１３は、プロジェクタ２の電源スイッチのオン／オフ状態を監視している（処理Ｓ２０）。
操作内容判定手段２１３により電源スイッチがオフされたと判定されると、制御信号生成手段２１４は、調整情報要求信号を生成し、生成された調整情報要求信号は、双方向デジタル通信手段２４により、コンピュータ３に送信される（処理Ｓ２１）。
【００３５】
プロジェクタ２から送信された調整情報要求信号が双方向デジタル通信手段３１を介して画像処理手段３４に入力されると、調整情報出力部３４６は、現在のユーザ設定調整部３４４で設定された調整情報を取得する（処理Ｓ２２）。
調整情報出力部３４６は、取得された調整情報をプロジェクタ２に送信し（処理Ｓ２３）、双方向デジタル通信手段３１を介して、ＲＡＭ２３内に調整情報を書き込み、これによりＲＡＭ２３内の調整情報が更新されることとなる（処理Ｓ２４）。
【００３６】
（４）実施形態の変形
尚、本発明は、前述の実施形態に限定されるものではなく、次に示すような変形をも含むものである。
前記実施形態では、液晶パネル２８が１枚の単板式プロジェクタであったが、本発明はこれに限られない。すなわち、三板式の液晶パネルを備えたプロジェクタであっても本発明を採用することができる。尚、この場合、ＲＯＭ２２内に設定されるプロジェクタ２の個体差情報は、各液晶パネルの個体差情報を格納しておけばよい。
【００３７】
前記実施形態では、光変調装置として液晶パネル２８を採用していたが、本発明はこれに限らず、マイクロミラーを用いて時分割でカラー画像を表示するＤＬＰ等の光変調装置を備えたプロジェクタに本発明を採用してもよい。
前記実施形態では、プロジェクタ２及びコンピュータ３をＵＳＢケーブル４で接続していたが、双方向通信可能であれば、これに限らず、電力線通信やＬＡＮ等によって接続してもよい。
前記実施形態では、システム終了時にユーザ設定調整部３４４で設定調整された調整情報をプロジェクタ２のＲＡＭ２３に書き込むように構成されていたが、これに限られず、初期設定時のＲＯＭ２２内の個体差情報も、併せて書き込み、これを繰り返すような方法を採用してもよい。
その他、本発明の具体的な構成は、本発明の目的を達成できる範囲で他の構成等としてもよい。
【産業上の利用可能性】
【００３８】
本発明は、接続されるコンピュータで画像処理が行われ、画像処理手段を有しないプロジェクタを用いたプロジェクションシステムに好適に利用することができる。
【図面の簡単な説明】
【００３９】
【図１】本発明の実施の一形態に係るプロジェクションシステムの構成を表す模式図。
【図２】前記実施形態における調整情報を表示した画面例を表す模式図。
【図３】前記実施形態におけるプロジェクションシステムの作用を表すフローチャート。
【図４】前記実施形態におけるプロジェクションシステムの作用を表すフローチャート。
【図５】前記実施形態におけるプロジェクションシステムの作用を表すフローチャート。
【符号の説明】
【００４０】
１…プロジェクションシステム、２…プロジェクタ、３…コンピュータ、６…リモートコントローラ、２４…双方向デジタル通信手段、３１…双方向デジタル通信手段、３４…画像処理手段、２１１…調整操作手段、２１２…リモコン信号受信手段、２１３…操作内容判定手段、２１４…制御信号生成手段、３４５…調整情報表示出力部、３４６…調整情報出力部
【図１】
2006270703.tif 000003
【図２】
2006270703.tif 000004
【図３】
2006270703.tif 000005
【図４】
2006270703.tif 000006
【図５】
2006270703.tif 000007